(57)【要約】  送信前にリスニングが適用されるセル（例えば、アンライセンスバンドのセル）内のユーザ端末からの非周期ＣＳＩを適時に報告可能とする。本発明の一態様に係るユーザ端末は、上り共有チャネルを割り当てるＵＬグラントを受信する受信部と、当該ＵＬグラントに含まれるＣＳＩ要求フィールド値に基づいて、当該上り共有チャネルを用いた非周期ＣＳＩの送信を制御する制御部と、を具備する。アンライセンスＣＣにおいて上記受信部が上記ＵＬグラントを受信する場合、上記制御部は、当該ＣＳＩ要求フィールド値に基づいて、ライセンスＣＣにおいて、上記非周期ＣＳＩを送信する。
2017135340.tif 000002
【特許請求の範囲】
【請求項１】
上り共有チャネルを割り当てる下り制御情報を受信する受信部と、
前記下り制御情報に含まれる送信指示情報に基づいて、前記上り共有チャネルを用いたチャネル状態情報の送信を制御する制御部と、を具備し、
送信前にリスニングが実施される第１のセルにおいて前記受信部が前記下り制御情報を受信する場合、前記制御部は、前記送信指示情報に基づいて、送信前にリスニングが実施されない第２のセルにおいて、前記チャネル状態情報を送信することを特徴とするユーザ端末。
【請求項２】
前記受信部は、前記第１のセルに関連付けられる前記第２のセルを示す上位レイヤ制御情報を受信し、
前記制御部は、前記上位レイヤ制御情報が示す前記第２のセルにおいて、前記チャネル状態情報を送信することを特徴とする請求項１に記載のユーザ端末。
【請求項３】
前記下り制御情報は、前記第１のセルに関連付けられる前記第２のセルを示す関連付け情報を含み、
前記制御部は、前記関連付け情報が示す前記第２のセルにおいて、前記チャネル状態情報を送信することを特徴とする請求項１に記載のユーザ端末。
【請求項４】
前記送信指示情報は、前記第１のセルに関連付けられる前記第２のセルを示し、
前記制御部は、前記送信指示情報が示す前記第２のセルにおいて、前記チャネル状態情報を送信することを特徴とする請求項１に記載のユーザ端末。
【請求項５】
前記制御部は、前記第２のセルにおいて割り当てられる上り共有チャネルを用いて前記チャネル状態情報を送信し、前記第１のセルにおいて割り当てられる上り共有チャネルを用いてユーザデータを送信することを特徴とする請求項１から請求項４のいずれかに記載のユーザ端末。
【請求項６】
前記制御部は、前記第２のセルにおける前記上り共有チャネルに対する割り当てリソースの全体又は一部に、前記チャネル状態情報をマッピングすることを特徴とする請求項５に記載のユーザ端末。
【請求項７】
前記制御部は、前記第２のセルにおいて割り当てられる上り共有チャネルを用いて、前記チャネル状態情報及びユーザデータの双方を送信することを特徴とする請求項１から請求項４のいずれかに記載のユーザ端末。
【請求項８】
上り共有チャネルを割り当てる下り制御情報を受信する受信部と、
前記下り制御情報に含まれる送信指示情報に基づいて、前記上り共有チャネルを用いたチャネル状態情報の送信を制御する制御部と、を具備し、
送信前にリスニングが実施される第１のセルにおいて前記受信部が前記下り制御情報を受信する場合、該下り制御情報には、前記チャネル状態情報を送信しないことを指示する送信指示情報が含まれるか、或いは、前記制御部は、該下り制御情報に前記チャネル状態情報の送信を指示する送信指示情報が含まれても前記チャネル状態情報の送信を中止することを特徴とするユーザ端末。
【請求項９】
上り共有チャネルを割り当てる下り制御情報を送信する送信部と、
前記下り制御情報に含まれる送信指示情報に基づいて前記上り共有チャネルを用いてユーザ端末から受信されるチャネル状態情報に基づいて、前記ユーザ端末との通信を制御する制御部と、を具備し、
送信前にリスニングが実施される第１のセルにおいて前記送信部が前記下り制御情報を送信する場合、前記制御部は、送信前にリスニングが実施されない第２のセルにおいて受信される前記チャネル状態情報に基づいて、前記ユーザ端末との通信を制御することを特徴とする無線基地局。
【請求項１０】
送信前にリスニングが実施される第１のセル及び／又は送信前にリスニングが実施されない第２のセルにおける無線通信方法であって、
前記第１のセルにおいて、ユーザ端末が、上り共有チャネルを割り当てる下り制御情報を受信する工程と、
前記ユーザ端末が、前記下り制御情報に含まれる送信指示情報に基づいて、前記第２のセルにおいて前記上り共有チャネルを用いて前記チャネル状態情報を送信する工程と、を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＬＴＥ  Ｒｅｌ．１３などともいう）も検討されている。【０００３】
Ｒｅｌ．８−１２のＬＴＥでは、通信事業者（オペレータ）に免許された周波数帯域（ライセンスバンド（licensed  band）ともいう）において排他的な運用がなされることを想定して仕様化が行われてきた。ライセンスバンドとしては、例えば、８００ＭＨｚ、１．７ＧＨｚ、２ＧＨｚなどが使用される。【０００４】
近年、スマートフォンやタブレットなどの高機能化されたユーザ端末（ＵＥ：User  Equipment）の普及は、ユーザトラヒックを急激に増加させている。増加するユーザトラヒックを吸収するため、更なる周波数バンドを追加することが求められているが、ライセンスバンドのスペクトラム（licensed  spectrum）には限りがある。【０００５】
このため、Ｒｅｌ．１３  ＬＴＥでは、ライセンスバンド以外に利用可能なアンライセンススペクトラム（unlicensed  spectrum）のバンド（アンライセンスバンド（unlicensed  band）ともいう）を利用して、ＬＴＥシステムの周波数を拡張することが検討されている（非特許文献２）。アンライセンスバンドとしては、例えば、Ｗｉ−Ｆｉ（登録商標）やＢｌｕｅｔｏｏｔｈ（登録商標）を使用可能な２．４ＧＨｚ帯や５ＧＨｚ帯などの利用が検討されている。【０００６】
具体的には、Ｒｅｌ．１３  ＬＴＥでは、ライセンスバンドとアンライセンスバンドの間でのキャリアアグリゲーション（ＣＡ：Carrier  Aggregation）を行うことが検討されている。このように、ライセンスバンドとともにアンライセンスバンドを用いて行う通信をＬＡＡ（License-Assisted  Access）と称する。なお、将来的には、ライセンスバンドとアンライセンスバンドのデュアルコネクティビティ（ＤＣ：Dual  Connectivity）や、アンライセンスバンドのスタンドアローン（ＳＡ：Stand-Alone）もＬＡＡの検討対象となる可能性がある。
【先行技術文献】
【非特許文献】
【０００７】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】AT&T,  “Drivers,  Benefits  and  Challenges  for  LTE  in  Unlicensed  Spectrum,”  3GPP  TSG  RAN  Meeting  #62  RP-131701
【発明の概要】
【発明が解決しようとする課題】
【０００８】
ライセンスバンドのセルでは、無線基地局が、上り共有チャネル（ＰＵＳＣＨ：Physical  Uplink  Shared  Channel）を割り当てる下り制御情報（ＤＣＩ：Downlink  Control  Information）（以下、上り（ＵＬ）グラントという）内の送信指示情報（例えば、ＣＳＩ要求フィールド）によりチャネル状態情報（ＣＳＩ：Channel  State  Information）の送信を要求し、ユーザ端末は、当該送信指示情報に基づいて当該上り共有チャネルを用いてＣＳＩを送信する非周期ＣＳＩ報告（Aperiodic  CSI  report）がサポートされている。非周期ＣＳＩ報告で報告されるＣＳＩは、非周期ＣＳＩ（Ａ−ＣＳＩ）とも呼ばれる。【０００９】
一方、アンライセンスバンドのセルは、送信前にリスニングが適用されたりするなど、ライセンスバンドのセルとは異なる通信特性を有することが想定される。したがって、ライセンスバンドのセルでサポートされる非周期ＣＳＩ報告をアンライセンスバンドのセルにそのまま適用すると、ユーザ端末からの非周期ＣＳＩを適時（タイムリー）に報告できない恐れがある。【００１０】
本発明はかかる点に鑑みてなされたものであり、送信前にリスニングが適用されるセル（例えば、アンライセンスバンドのセル）内のユーザ端末からの非周期ＣＳＩを適時に報告可能なユーザ端末、無線基地局及び無線通信方法を提供することを目的の１つとする。
【課題を解決するための手段】
【００１１】
本発明の一態様に係るユーザ端末は、上り共有チャネルを割り当てる下り制御情報を受信する受信部と、前記下り制御情報に含まれる送信指示情報に基づいて、前記上り共有チャネルを用いたチャネル状態情報の送信を制御する制御部と、を具備し、送信前にリスニングが実施される第１のセルにおいて前記受信部が前記下り制御情報を受信する場合、前記制御部は、前記送信指示情報に基づいて、送信前にリスニングが実施されない第２のセルにおいて、前記チャネル状態情報を送信することを特徴とする。
【発明の効果】
【００１２】
本発明によれば、送信前にリスニングが適用されるセル（例えば、アンライセンスバンドのセル）内のユーザ端末からの非周期ＣＳＩを適時に報告できる。
【図面の簡単な説明】
【００１３】
【図１】ＣＳＩ要求フィールドの一例を示す図である。
【図２】図２Ａ及び２Ｂは、ＬＡＡシステムにおける非周期ＣＳＩ報告の一例を示す図である。
【図３】ＬＡＡシステムにおける非周期ＣＳＩ報告の他の例を示す図である。
【図４】ＰＵＳＣＨのレイヤ構成の一例を示す図である。
【図５】図５Ａ及び５Ｂは、第１の態様に係る準静的な関連付けの一例を示す図である。
【図６】図６Ａ及び６Ｂは、第１の態様に係る動的な関連付けの一例を示す図である。
【図７】図７Ａ及び７Ｂは、第１の態様に係る動的な関連付けの他の例を示す図である。
【図８】第１の態様に係る非周期ＣＳＩ報告の第１の送信例を示す図である。
【図９】図９Ａ、９Ｂ及び９Ｃは、第１の態様に係る非周期ＣＳＩの第１のマッピング例を示す図である。
【図１０】第１の態様に係る非周期ＣＳＩの第２のマッピング例を示す図である。
【図１１】第１の態様に係る非周期ＣＳＩの第３のマッピング例を示す図である。
【図１２】図１２Ａ及び１２Ｂは、第１の態様に係る非周期ＣＳＩ報告の第２の送信例を示す図である。
【図１３】図１３Ａ及び１３Ｂは、第１の態様に係る非周期ＣＳＩの第４のマッピング例を示す図である。
【図１４】第２の態様に係る非周期ＣＳＩ報告の一例を示す図である。
【図１５】本実施の形態に係る無線通信システムの概略構成の一例を示す図である。
【図１６】本実施の形態に係る無線基地局の全体構成の一例を示す図である。
【図１７】本実施の形態に係る無線基地局の機能構成の一例を示す図である。
【図１８】本実施の形態に係るユーザ端末の全体構成の一例を示す図である。
【図１９】本実施の形態に係るユーザ端末の機能構成の一例を示す図である。
【図２０】本実施の形態に係る無線基地局及びユーザ端末のハードウェア構成の一例を示す図である。
【発明を実施するための形態】
【００１４】
アンライセンスバンドでＬＴＥ／ＬＴＥ−Ａを運用するシステム（例えば、ＬＡＡシステム）においては、他事業者のＬＴＥ、Ｗｉ−Ｆｉ又はその他のシステムとの共存のため、干渉制御機能が必要になると考えられる。なお、アンライセンスバンドでＬＴＥ／ＬＴＥ−Ａを運用するシステムは、運用形態がＣＡ、ＤＣ又はＳＡのいずれであるかに関わらず、総称して、ＬＡＡ、ＬＡＡ−ＬＴＥ、ＬＴＥ−Ｕ、Ｕ−ＬＴＥなどと呼ばれてもよい。
【００１５】
一般に、アンライセンスバンドのキャリア（キャリア周波数又は単に周波数と呼ばれてもよい）を用いて通信を行う送信ポイント（例えば、無線基地局（ｅＮＢ）、ユーザ端末（ＵＥ）など）は、当該アンライセンスバンドのキャリアで通信を行っている他のエンティティ（例えば、他のユーザ端末）を検出した場合、当該キャリアで送信を行うことが禁止されている。
【００１６】
このため、送信ポイントは、送信タイミングよりも所定期間前のタイミングで、リスニング（ＬＢＴ：Listen  Before  Talk）を実行する。具体的には、ＬＢＴを実行する送信ポイントは、送信タイミングよりも所定期間前のタイミングで、対象となるキャリア帯域全体（例えば、１コンポーネントキャリア（ＣＣ：Component  Carrier））をサーチし、他の装置（例えば、無線基地局、ユーザ端末、Ｗｉ−Ｆｉ装置など）が当該キャリア帯域で通信しているか否かを確認する。
【００１７】
なお、本明細書において、リスニングとは、ある送信ポイント（例えば、無線基地局、ユーザ端末など）が信号の送信を行う前に、他の送信ポイントなどから所定レベル（例えば、所定電力）を超える信号が送信されているか否かを検出／測定する動作を指す。また、無線基地局及び／又はユーザ端末が行うリスニングは、ＬＢＴ、ＣＣＡ（Clear  Channel  Assessment）、キャリアセンスなどと呼ばれてもよい。
【００１８】
送信ポイントは、他の装置が通信していないことを確認できた場合、当該キャリアを用いて送信を行う。例えば、送信ポイントは、ＬＢＴで測定した受信電力（ＬＢＴ期間中の受信信号電力）が所定の閾値以下である場合、チャネルがアイドル状態（ＬＢＴｉｄｌｅ）であると判断し送信を行う。「チャネルがアイドル状態である」とは、言い換えると、特定のシステムによってチャネルが占有されていないことをいい、チャネルがアイドルである、チャネルがクリアである、チャネルがフリーである、などともいう。
【００１９】
一方、送信ポイントは、対象となるキャリア帯域のうち、一部の帯域でも他の装置が使用中であることを検出した場合、自らの送信処理を中止する。例えば、送信ポイントは、当該帯域に係る他の装置からの信号の受信電力が、所定の閾値を超過していることを検出した場合、チャネルはビジー状態（ＬＢＴｂｕｓｙ）であると判断し、送信を行わない。ＬＢＴｂｕｓｙの場合、当該チャネルは、改めてＬＢＴを行いアイドル状態であることが確認できた後に初めて利用可能となる。なお、ＬＢＴによるチャネルのアイドル状態／ビジー状態の判定方法は、これに限られない。
【００２０】
ＬＢＴのメカニズム（スキーム）としては、ＦＢＥ（Frame  Based  Equipment）及びＬＢＥ（Load  Based  Equipment）が検討されている。両者の違いは、送受信に用いるフレーム構成、チャネル占有時間などである。ＦＢＥは、ＬＢＴに係る送受信の構成が固定タイミングを有するものであり、カテゴリ２等とも呼ばれる。また、ＬＢＥは、ＬＢＴに係る送受信の構成が時間軸方向で固定でなく、需要に応じてＬＢＴが行われるものであり、カテゴリ４等とも呼ばれる。なお、ＬＢＴを行わずに送信が行われる場合は、カテゴリ１等とも呼ばれる。
【００２１】
具体的には、ＦＢＥは、固定のフレーム周期をもち、所定のフレームで一定時間（ＬＢＴ時間（LBT  duration）などと呼ばれてもよい）キャリアセンスを行った結果、チャネルが使用可能であれば送信を行うが、チャネルが使用不可であれば次のフレームにおけるキャリアセンスタイミングまで送信を行わずに待機するというメカニズムである。
【００２２】
一方、ＬＢＥは、キャリアセンス（初期ＣＣＡ：Initial  CCA）を行った結果チャネルが使用不可であった場合はキャリアセンス時間を延長し、チャネルが使用可能となるまで継続的にキャリアセンスを行うというＥＣＣＡ（Extended  CCA）手順を実施するメカニズムである。ＬＢＥでは、適切な衝突回避のためランダムバックオフが必要である。
【００２３】
なお、キャリアセンス時間（キャリアセンス期間と呼ばれてもよい）とは、１つのＬＢＴ結果を得るために、リスニングなどの処理を実施してチャネルの使用可否を判断するための時間（例えば、１シンボル長）である。
【００２４】
送信ポイントは、ＬＢＴ結果に応じて所定の信号（例えば、チャネル予約（channel  reservation）信号）を送信することができる。ここで、ＬＢＴ結果とは、ＬＢＴが設定されるキャリアにおいてＬＢＴにより得られたチャネルの空き状態に関する情報（例えば、ＬＢＴｉｄｌｅ、ＬＢＴｂｕｓｙ）のことをいう。
【００２５】
また、送信ポイントは、ＬＢＴ結果がアイドル状態（ＬＢＴｉｄｌｅ）である場合に送信を開始すると、所定期間（例えば、１０−１３ｍｓ）ＬＢＴを省略して送信を行うことができる。このような送信は、バースト送信、バースト、送信バーストなどとも呼ばれる。
【００２６】
以上述べたように、ＬＡＡシステムにおいて、送信ポイントに、ＬＢＴメカニズムに基づく同一周波数内における干渉制御を導入することにより、ＬＡＡとＷｉ−Ｆｉとの間の干渉、ＬＡＡシステム間の干渉などを回避することができる。また、ＬＡＡシステムを運用するオペレータ毎に、送信ポイントの制御を独立して行う場合であっても、ＬＢＴによりそれぞれの制御内容を把握することなく干渉を低減することができる。
【００２７】
また、ＬＡＡシステムでは、ユーザ端末は、アンライセンスバンドのセル（セカンダリセル（ＳＣｅｌｌ：Secondary  Cell））を検出するためのＲＲＭ（Radio  Resource  Management）測定（ＲＳＲＰ（Reference  Signal  Received  Power）測定などを含む）が行われる。当該ＲＲＭ測定のための信号としては、ディスカバリ参照信号（ＤＲＳ：Discovery  Reference  Signal）を用いることが検討されている。
【００２８】
ＬＡＡシステムで用いられるＤＲＳは、同期信号（ＰＳＳ（Primary  Synchronization  Signal）／ＳＳＳ（Secondary  Synchronization  Signal））とセル固有参照信号（ＣＲＳ：Cell-specific  Reference  Signal）とチャネル状態情報参照信号（ＣＳＩ−ＲＳ：Channel  State  Information  Reference  Signal）の少なくとも一つを含んで構成されてもよい。ＤＲＳは、所定周期（ＤＭＴＣ周期：Discovery  Measurement  Timing  Configuration  Periodicityとも呼ばれる）のＤＭＴＣ期間（DMTC  duration）内で送信される。なお、当該ＤＲＳは、検出用信号、検出測定用信号、ディスカバリ信号（ＤＳ：Discovery  Signal）、ＬＡＡ  ＤＲＳ、ＬＡＡ  ＤＳなどと呼ばれてもよい。
【００２９】
また、ＬＡＡシステムでは、ユーザ端末は、アンライセンスバンドのセルで送信されるＣＲＳ又は／及びＣＳＩ−ＲＳ（以下、ＣＲＳ／ＣＳＩ−ＲＳ）を用いてＣＳＩ測定を行い、測定結果を無線基地局に報告する（ＣＳＩ報告：CSI  reporting）。なお、当該ＣＲＳは、下り送信が行われる各サブフレームに含まれるＣＲＳであってもよいし、ＤＲＳを構成するＣＲＳであってもよい。また、当該ＣＳＩ−ＲＳは、所定周期（例えば、５ｍｓ、１０ｍｓ）で送信されるＣＳＩ−ＲＳであり、当該ＣＳＩ−ＲＳはＤＲＳを構成するＣＳＩ−ＲＳとは別に設定される。
【００３０】
このようなＣＳＩ報告は、周期的であってもよいし（周期的ＣＳＩ報告）、非周期であってもよい（非周期ＣＳＩ報告）。非周期ＣＳＩ報告では、無線基地局が、ＰＵＳＣＨを割り当てるＤＣＩ（ＵＬグラント、ＤＣＩフォーマット０／４など、以下、ＵＬグラントという）内の送信指示情報（例えば、ＣＳＩ要求フィールド）によりＣＳＩの送信を要求する。非周期ＣＳＩ報告では、ユーザ端末は、ＵＬグラント内の送信指示情報に基づいて、上記ＰＵＳＣＨを用いてＣＳＩを送信する。非周期ＣＳＩ報告で報告されるＣＳＩは、非周期ＣＳＩ（Ａ−ＣＳＩ）とも呼ばれる。
【００３１】
図１は、ＣＳＩ要求フィールドの一例を示す図である。図１に示すように、３ビットのＣＳＩ要求フィールドの値（以下、ＣＳＩ要求フィールド値という）が「０００」である場合、非周期ＣＳＩの報告は要求されない。ＣＳＩ要求フィールド値が「００１」である場合、サービングセルｃについて上位レイヤシグナリングにより設定されるＣＳＩプロセスセットの非周期ＣＳＩの報告が要求される。また、ＣＳＩ要求フィールド値が「０１０」〜「１１１」である場合、上位レイヤシグナリングにより設定される第１〜第６のＣＳＩプロセスセットの非周期ＣＳＩの報告が要求される。
【００３２】
ここで、ＣＳＩプロセスセットは、１以上のＣＳＩプロセスの集合である。また、各セルには、１以上のＣＳＩプロセスが設定される。各ＣＳＩプロセスは、ＣＲＳリソース、又は、ＣＳＩ−ＲＳリソースとＣＳＩ−ＩＭ（Interference  measurement）リソースとに関連付けられる。以下において、あるセルのＣＳＩとは、あるセルの１又は複数のＣＳＩプロセスのＣＳＩを意味してもよい。また、上記ＣＳＩプロセスセットには、異なるセルのＣＳＩプロセスが含まれてもよい。
【００３３】
また、上記セルは、ライセンスバンド及び／又はアンライセンスバンドのセルであってもよい。セルは、コンポーネントキャリア（ＣＣ）、キャリアとも呼ばれる。例えば、ライセンスバンドのセルは、ライセンス（Licensed）ＣＣ、ＰＣｅｌｌ、ＳＣｅｌｌ、ライセンスキャリアなどと呼ばれる。また、アンライセンスバンドのセルは、アンライセンス（Unlicensed）ＣＣ、ＬＡＡ  Ｓｃｅｌｌ、ＬＡＡキャリア、アンライセンスキャリアなどと呼ばれる。以下では、ライセンスバンドのセルを「ライセンスＣＣ」、アンライセンスバンドのセルを「アンライセンスＣＣ」と呼ぶ。
【００３４】
なお、ＣＳＩ要求フィールドは、図１に示すものに限られない。ＣＳＩ要求フィールドの値は、上記ＣＳＩプロセスセット及び／又は上位レイヤシグナリングにより設定される｛ＣＳＩプロセス，ＣＳＩサブフレームセット｝のペアの非周期ＣＳＩの報告要求を示してもよい。また、ＣＳＩ要求フィールドの値は、上位レイヤシグナリングにより設定されるサービングセルセット（１以上のサービングセル）の非周期ＣＳＩの報告要求を示してもよい。また、ＣＳＩ要求フィールドは、３ビットに限られず、１又は２ビット、或いは、４ビット以上であってもよい。
【００３５】
図２は、ＬＡＡシステムにおける非周期ＣＳＩ報告の一例を示す図である。なお、図２では、アンライセンスＣＣにおいて、下り送信と上り送信との双方がサポートされているものとする。また、図２における「Ｄ」、「Ｕ」は、それぞれ、下り送信用のサブフレーム、上り送信用のサブフレームを示すものとする。なお、下り送信用のサブフレームであっても、一部のシンボルで上り送信が行われてもよい。同様に、上り送信用のサブフレームであっても、一部のシンボルで下り送信が行われてもよい。
【００３６】
図２Ａでは、アンライセンスＣＣにおいて当該アンライセンスＣＣのＰＵＳＣＨを割り当てるＵＬグラントが送信される場合（セルフキャリアスケジューリング）が示される。例えば、図２Ａでは、ユーザ端末が、サブフレーム＃ｎにおいて、ＣＳＩ要求フィールド値「０１０」を含むＵＬグラントを受信する。図１で説明したように、ＣＳＩ要求フィールド値「０１０」は、第１のＣＳＩプロセスセットの非周期ＣＳＩの送信を要求する。ここでは、上位レイヤシグナリングにより、第１のＣＳＩプロセスセットとして、ライセンスＣＣ１及び２とアンライセンスＣＣ４及び５とのＣＳＩプロセスとが設定されているものとする。
【００３７】
図２Ａにおいて、ユーザ端末は、ＣＳＩ要求フィールド値「０１０」を含むＵＬグラントにより割り当てられるＰＵＳＣＨの送信前（例えば、サブフレーム＃ｎ＋４の直前）に、ＬＢＴ（リスニング）を行う。しかしながら、当該ＬＢＴ結果がビジー状態である場合、ユーザ端末は、当該ＰＵＳＣＨを用いて上記第１のＣＳＩプロセスセットの非周期ＣＳＩを送信することができない。
【００３８】
図２Ａに示すように、ＬＢＴ結果がビジー状態となって非周期ＣＳＩを送信できない場合、当該非周期ＣＳＩを、他のサブフレーム又は他のセル（例えば、ライセンスＣＣ）で送信することは許可されていない。このため、無線基地局は、サブフレーム＃ｎ＋５において、ＣＳＩ要求フィールド値「０１０」を含むＵＬグラントを再度送信し、ＬＢＴ結果に応じた非周期ＣＳＩの報告を待つことになる。なお、図２Ａでは、サブフレーム＃ｎ＋５のＵＬグラントで割り当てられたＰＵＳＣＨの送信前のＬＢＴ結果がアイドル状態であるため、当該ＰＵＳＣＨを用いて上記第１のＣＳＩプロセスセットの非周期ＣＳＩが報告される。
【００３９】
図２Ｂでは、ライセンスＣＣにおいてアンライセンスＣＣのＰＵＳＣＨを割り当てるＵＬグラントが送信される場合（クロスキャリアスケジューリング）が示される。例えば、図２Ｂでは、ユーザ端末が、ライセンスＣＣのサブフレーム＃ｎにおいて、ＣＳＩ要求フィールド値「００１」を含むＵＬグラントを受信する。図１で説明したように、ＣＳＩ要求フィールド値「００１」は、サービングセル（ＰＵＳＣＨが割り当てられるセル、ここでは、アンライセンスＣＣ）のＣＳＩプロセスセットの非周期ＣＳＩの送信を要求する。
【００４０】
図２Ｂにおいて、ユーザ端末は、ＣＳＩ要求フィールド値「０１０」を含むＵＬグラントにより割り当てられるＰＵＳＣＨの送信前（例えば、サブフレーム＃ｎ＋４の直前）に、ＬＢＴ（リスニング）を行う。図２Ｂでは、当該ＬＢＴ結果がアイドル状態であるため、当該ＰＵＳＣＨを用いて、当該ＰＵＳＣＨを送信するアンライセンスＣＣのＣＳＩプロセスセットの非周期ＣＳＩが報告される。
【００４１】
このように、アンライセンスＣＣのＰＵＳＣＨを用いた非周期ＣＳＩの送信が要求される場合（アンライセンスＣＣのＰＵＳＣＨを割り当てるＵＬグラント内に所定のＣＳＩ要求フィールド値が含まれる場合）、当該非周期ＣＳＩの報告可否が、当該アンライセンスＣＣのＰＵＳＣＨ送信前のＬＢＴ結果に依存することになる。
【００４２】
図３は、ＬＡＡシステムにおける非周期ＣＳＩ報告の他の例を示す図である。図４は、ＰＵＳＣＨのレイヤ構成の一例を示す図である。図３に示すように、ユーザ端末が、サブフレーム＃ｎにおいて、アンライセンスＣＣのＰＵＳＣＨ１を割り当てるＵＬグラントを受信し、当該ＵＬグラントがＣＳＩ要求フィールド値「０１０」を含む場合を想定する。この場合、当該ＰＵＳＣＨ１の送信前のＬＢＴ結果がビジー状態である場合、当該ＰＵＳＣＨ１は、ライセンスＣＣ１のＵＬグラントによりライセンスＣＣ２にリスケジュールされ、ライセンスＣＣ２で送信される。
【００４３】
一方、アンライセンスＣＣのＰＵＳＣＨを割り当てるＵＬグラントにより送信が指示される非周期ＣＳＩは、ライセンスＣＣにリスケジュールされない。このため、図３に示すように、アンライセンスＣＣのビジー状態が継続される場合、当該非周期ＣＳＩの報告がブロックされ続け、非周期ＣＳＩを適時（タイムリー）に報告できない恐れがある。例えば、図３では、サブフレーム＃ｎ＋４で送信できなかった非周期ＣＳＩの送信が、サブフレーム＃ｎ＋８のＵＬグラントで再度要求されるが、当該ＵＬグラントにより割り当てられるＰＵＳＣＨ送信前のＬＢＴ結果もビジー状態となるため、ユーザ端末は、当該非周期ＣＳＩを送信できない。
【００４４】
このように、アンライセンスＣＣで割り当てられるＰＵＳＣＨ送信前のＬＢＴ結果がビジー状態である場合、非周期ＣＳＩは、ユーザデータ（ＰＵＳＣＨ１）のように、ライセンスＣＣでリスケジュールされないため、報告タイミングが遅延する恐れがある。
【００４５】
以上のように、ユーザ端末が、アンライセンスＣＣのＰＵＳＣＨを用いて非周期ＣＳＩを送信する場合、ＬＢＴ結果によっては当該非周期ＣＳＩを適時に報告できない恐れがある。一方、ユーザ端末が、ＬＢＴ結果によらないラインセンスＣＣのＰＵＳＣＨを用いて非周期ＣＳＩを送信すれば、ＬＢＴ結果がビジー状態であることに起因して非周期ＣＳＩが適時に報告できないという問題は発生しない。
【００４６】
そこで、本発明者らは、ライセンスＣＣのＰＵＳＣＨを用いて非周期ＣＳＩを報告すれば、ＬＢＴ結果によらずに非周期ＣＳＩを報告できる点に着目し、本発明に至った。具体的には、本発明者らは、非周期ＣＳＩの送信を要求するセル（トリガセル：Triggering  cell）と当該非周期ＣＳＩを報告するセル（報告先セル：Reporting  cell）とを分離（decouple）すること（第１の態様）と、アンライセンスＣＣのＰＵＳＣＨを用いた非周期ＣＳＩの送信要求を無効化すること（第２の態様）とを着想した。
【００４７】
以下、本発明の一実施の形態について図面を参照して詳細に説明する。なお、本実施の形態では、送信前にリスニングが設定されるセル（第１のセル）をアンライセンスＣＣとして説明するが、これに限られない。本実施の形態は、送信前にリスニングが設定されるセルであれば、ライセンスＣＣ又はアンライセンスＣＣに関わらず適用することができる。
【００４８】
また、本実施の形態では、送信前にリスニングが設定されないセル（第２のセル）をライセンスＣＣとして説明する。当該ライセンスＣＣは、ライセンスバンドのセルであれば、ＰＣｅｌｌ、ＳＣｅｌｌ、ＰＳＣｅｌｌのいずれであってもよい。
【００４９】
また、本実施の形態では、送信前にリスニングが設定されないセル（第２のセル）と送信前にリスニングが設定されるセル（第１のセル）とのＣＡ又はＤＣが適用される場合を想定するが、これに限られない。例えば、リスニングが設定されるセル（第１のセル）に、ユーザ端末がスタンドアローンで接続する場合などにも、本実施の形態を適用することができる。
【００５０】
また、本実施の形態では、非周期ＣＳＩの送信指示情報として、３ビットのＣＳＩ要求フィールドを用いる例を説明するが、これに限られない。ＣＳＩ要求フィールドのビット数は、１又は２ビット、４ビット以上であってもよい。また、ＣＳＩ要求フィールド値が示す内容も図１に示すものに限られない。
【００５１】
（第１の態様）
第１の態様では、非周期ＣＳＩの送信を要求するトリガセルと当該非周期ＣＳＩを報告する報告先セルとが分離（decouple）される。トリガセルと報告先セルとの関係は、準静的（semi-static）又は動的（dynamic）にユーザ端末に通知される。
【００５２】
また、第１の態様では、トリガセルがアンライセンスＣＣであり、報告先セルがアンライセンスＣＣであるものとする。具体的には、アンライセンスＣＣ（第１のセル）においてＰＵＳＣＨを割り当てるＵＬグラント（下り制御情報）を受信する場合、ユーザ端末は、当該ＵＬグラントに含まれるＣＳＩ要求フィールド値（送信指示情報）に基づいて、ライセンスＣＣ（第２のセル）において、当該ＰＵＳＣＨを用いて非周期ＣＳＩ（チャネル状態情報）を送信する。
【００５３】
ここで、トリガセルであるアンライセンスＣＣと、報告先セルであるライセンスＣＣとは、関連づけられる。ユーザ端末は、上記ＵＬグラントを受信するアンライセンスＣＣに関連付けられるライセンスＣＣで、当該ＵＬグラント内のＣＳＩ要求フィールド値に基づいて、非周期ＣＳＩを送信する。このように、トリガセルと報告先セルとが関連付けられることにより、報告先セルでのＰＵＳＣＨを割り当てるＵＬグラントを別途送信せずとも、報告先セルで非周期ＣＳＩを送信可能となる。以下、トリガセルと報告先セルとの準静的又は動的な関連付けについて詳細に説明する。
【００５４】
＜準静的な関連付け＞
トリガセルと報告先セルとが準静的に関連付けられる場合、ユーザ端末は、トリガセルに関連付けられる報告先セルを示す上位レイヤ制御情報（例えば、ＲＲＣシグナリングによる制御情報や報知情報など）を受信してもよい。ユーザ端末は、当該上位レイヤ制御情報が示す報告先セルにおいて、トリガセルで受信したＵＬグラントに含まれるＣＳＩ要求フィールド値に基づいて非周期ＣＳＩを送信してもよい。
【００５５】
図５は、第１の態様に係るトリガセルと報告先セルとの準静的な関連付けの一例を示す図である。なお、図５では、トリガセルがアンライセンスＣＣ７であり、報告先セルがライセンスＣＣ１であるものとするがこれに限られない。なお、図５では、第１のＣＳＩプロセスセットとして、ライセンスＣＣ１、アンライセンスＣＣ７及び８のＣＳＩプロセスが上位レイヤシグナリングにより設定されているものとする。
【００５６】
図５Ａに示すように、無線基地局は、ユーザ端末に対して、アンライセンスＣＣ７でトリガされる非周期ＣＳＩはライセンスＣＣ１で報告すること、すなわち、アンライセンスＣＣ７であるトリガセルに報告先セルとしてライセンスＣＣ１が関連付けられることを示す上位レイヤ制御情報を送信する。
【００５７】
図５Ｂに示すように、ユーザ端末は、アンライセンスＣＣ７において、ＣＳＩ要求フィールド値「０１０」を含むＵＬグラントを受信する。ＣＳＩ要求フィールド値「０１０」は、第１のＣＳＩプロセスセットの非周期ＣＳＩの送信を要求する（図１参照）。ユーザ端末は、アンライセンスＣＣ７に関連付けられるライセンスＣＣ１において、第１のＣＳＩプロセスセットとして設定されるライセンスＣＣ１、アンライセンスＣＣ７及び８のＣＳＩプロセスの非周期ＣＳＩを送信する。
【００５８】
＜動的な関連付け＞
トリガセルと報告先セルとが動的に関連付けられる場合、ユーザ端末は、トリガセルに関連付けられる報告先セルを示す関連付け情報（例えば、リンクフィールド（linkage  field））を含むＵＬグラントを受信してもよい。ユーザ端末は、当該関連付け情報が示す報告先セルにおいて、トリガセルで受信したＵＬグラントに含まれるＣＳＩ要求フィールド値に基づいて非周期ＣＳＩを送信してもよい。
【００５９】
図６は、第１の態様に係るトリガセルと報告先セルとの動的な関連付けの一例を示す図である。なお、図６では、トリガセルがアンライセンスＣＣ７であるものとする。また、図６では、第１のＣＳＩプロセスセットとして、ライセンスＣＣ１、アンライセンスＣＣ７及び８のＣＳＩプロセスが上位レイヤシグナリングにより設定されているものとする。
【００６０】
図６Ａに示すように、ＵＬグラントに含まれるリンクフィールドでは、各値がトリガセル（ここでは、アンライセンスＣＣ７）に関連付けられる報告先セルを示す。例えば、図６Ａのリンクフィールド値「００」、「０１」、「１０」、「１１」は、それぞれ、報告先セルとして、ライセンスＣＣ１、ライセンスＣＣ２、ライセンスＣＣ３、ライセンスＣＣ４を示す。
【００６１】
なお、図６Ａにおいて、各リンクフィールド値が示す報告先セルは、固定値であってよいし、上位レイヤシグナリングにより設定されてもよい。また、図６Ａでは、２ビットのリンクフィールドが用いられるが、これに限られない。リンクフィールドのビット数は、１ビットであってもよいし、３ビット以上であってもよい。
【００６２】
図６Ｂに示すように、ユーザ端末は、アンライセンスＣＣ７において、リンクフィールド値「１０」と、第１のＣＳＩプロセスセットの非周期ＣＳＩの送信を要求するＣＳＩ要求フィールド値「０１０」とを含むＵＬグラントを受信する。図６Ａに示すように、リンクフィールド値「１０」は、アンライセンスＣＣ７に関連付けられる報告先セルがライセンスＣＣ３であることを示す。図６Ｂにおいて、ユーザ端末は、リンクフィールド値「１０」が示すライセンスＣＣ３において、第１のＣＳＩプロセスセットとして設定されるライセンスＣＣ１、アンライセンスＣＣ７及び８のＣＳＩプロセスの非周期ＣＳＩを送信する。
【００６３】
図６に示すように、トリガセルに関連付けられる報告先セルを示す関連付け情報（例えば、リンクフィールド）をＵＬグラントに新たに含める場合、報告先セルを動的に変更できるので、非周期ＣＳＩをより適切なライセンスＣＣで報告できる。
【００６４】
或いは、トリガセルと報告先セルとが動的に関連付けられる場合、ユーザ端末は、トリガセルに関連付けられる報告先セルを示すＣＳＩ要求フィールドを含むＵＬグラントを受信してもよい。ユーザ端末は、当該ＣＳＩ要求フィールド値が示す報告先セルにおいて、トリガセルの非周期ＣＳＩを送信してもよい。
【００６５】
図７は、第１の態様に係るトリガセルと報告先セルとの動的な関連付けの他の例を示す図である。なお、図７では、トリガセルがアンライセンスＣＣ７であるものとする。
【００６６】
図７Ａでは、ＵＬグラント内のＣＳＩ要求フィールドの一例が示される。図１のＣＳＩ要求フィールド値「００１」〜「１１１」は、どのセル及び／又はどのＣＳＩプロセスの非周期ＣＳＩを報告するかを示す。一方、図７ＡのＣＳＩ要求フィールド値「００１」〜「１１１」は、トリガセル（アンライセンスＣＣｉ）の非周期ＣＳＩの報告先となる報告先セルを示す。このように、図７ＡのＣＳＩ要求フィールド値は、図１のＣＳＩ要求フィールド値とは異なる内容に読み替えられる。
【００６７】
例えば、図７ＡのＣＳＩ要求フィールド値「００１」は、トリガセル（ここでは、アンライセンスＣＣ７）の非周期ＣＳＩがライセンスＣＣ１で送信されること（すなわち、報告先セルがライセンスＣＣ１であること）を示す。同様に、ＣＳＩ要求フィールドの値「０１０」〜「１１１」は、トリガセルの非周期ＣＳＩがライセンスＣＣ２〜ＣＣ７で送信されること（すなわち、報告先セルがライセンスＣＣ２〜ＣＣ７であることを）を示す。
【００６８】
なお、図７Ａに示すように、ＣＳＩ要求フィールド値が示す内容を読み替えるか否かは、上位レイヤシグナリングにより設定されてもよい。また、図７Ａの各ＣＳＩ要求フィールド値が示す報告先セルは、固定値であってもよいし、上位レイヤシグナリングにより設定されてもよい。また、図７Ａでは、３ビットのＣＳＩ要求フィールドが用いられるが、これに限られない。ＣＳＩ要求フィールドのビット数は、１又は２ビットであってもよいし、４ビット以上であってもよい。
【００６９】
図７Ｂに示すように、ユーザ端末は、アンライセンスＣＣ７において、ＣＳＩ要求フィールド値「０１０」を含むＵＬグラントを受信する。図７Ａに示すように、ＣＳＩ要求フィールド値「０１０」は、報告先セルがライセンスＣＣ２であることを示す。ユーザ端末は、ＣＳＩ要求フィールド値「０１０」が示すライセンスＣＣ２において、トリガセルであるアンライセンスＣＣ７の非周期ＣＳＩを送信する。
【００７０】
図７に示すように、ＵＬグラント内にＣＳＩ要求フィールド値の読み替えにより非周期ＣＳＩ報告のトリガセルと報告先セルとを動的に関連付ける場合、ＵＬグラントのビット数を増加させずに、報告先セルを動的に変更できる。このため、新たなＤＣＩフォーマットを導入せずとも、非周期ＣＳＩをより適切なライセンスＣＣで報告できる。
【００７１】
＜非周期ＣＳＩを報告先セルで送信＞
以上のように、トリガセルに準静的又は動的に関連付けられる報告先セルで非周期ＣＳＩを送信する場合、無線基地局は、トリガセルでＣＳＩ要求フィールドを含むＵＬグラントを送信する際に、トリガセルにおけるＰＵＳＣＨ送信用のリソース（以下、ＰＵＳＣＨリソースという）及び／又は報告先セルにおけるＰＵＳＣＨリソースを確保してもよい。
【００７２】
ここで、報告先セルにおけるＰＵＳＣＨリソースは、トリガセルで送信されるＵＬグラントの所定フィールド（例えば、リソース割り当てフィールド）を用いてユーザ端末に通知される。例えば、トリガセルで送信されるＵＬグラントのリソース割り当てフィールドを用いて報告先セルにおけるＰＵＳＣＨリソースを通知する場合、報告先セル及びトリガセルにおけるＰＵＳＣＨリソースとして、同一のインデックスのＰＲＢが割り当てられる。
【００７３】
或いは、トリガセルで送信されるＵＬグラントのリソース割り当てフィールドを用いてトリガセルにおけるＰＵＳＣＨリソースを通知し、当該ＵＬグラントの他のフィールドを用いて報告先セルにおけるＰＵＳＣＨリソースを通知してもよい。この場合、報告先セル及びトリガセルにおけるＰＵＳＣＨリソースとして、同一のインデックスのＰＲＢが割り当てられてもよいし、異なるインデックスのＰＲＢが割り当てられてもよい。
【００７４】
このように、トリガセルでのＣＳＩ要求フィールドを含むＵＬグラントの送信時に、トリガセル及び報告先セルでのＰＵＳＣＨリソースが確保される場合、ユーザ端末は、報告先セルで割り当てられるＰＵＳＣＨを用いて非周期ＣＳＩを送信し、トリガセルで割り当てられるＰＵＳＣＨを用いてユーザデータを送信してもよい。
【００７５】
図８は、第１の態様に係る非周期ＣＳＩ及びユーザデータの第１の送信例を示す図である。なお、図８では、トリガセルがアンライセンスＣＣ７であり、当該アンライセンスＣＣ７に関連付けられる報告先セルがライセンスＣＣ１であるものとする。また、図８では、第１のＣＳＩプロセスセットとして、ライセンスＣＣ１、アンライセンスＣＣ７及び８のＣＳＩプロセスが上位レイヤシグナリングにより設定されているものとする。
【００７６】
図８において、トリガセルであるアンライセンスＣＣ７において、ＣＳＩ要求フィールド値「０１０」を含むＵＬグラントが送信される場合、無線基地局は、アンライセンスＣＣ７のＰＵＳＣＨリソースと、アンライセンスＣＣ７に関連付けられるライセンスＣＣ１のＰＵＳＣＨリソースとの双方を確保する。無線基地局は、アンライセンスＣＣ７及びライセンスＣＣ１で割り当てられるＰＵＳＣＨリソースを示す割り当て情報を、アンライセンスＣＣ７で送信されるＵＬグラントに含める。
【００７７】
ユーザ端末は、アンライセンスＣＣ７のサブフレーム＃ｎにおいて、アンライセンスＣＣ７及びライセンスＣＣ１のＰＵＳＣＨの割り当て情報と、ＣＳＩ要求フィールド値「０１０」と、を含むＵＬグラントを受信する。ユーザ端末は、報告先セルであるライセンスＣＣ１で割り当てられるＰＵＳＣＨを用いて、第１のＣＳＩプロセスセットの非周期ＣＳＩを送信する。
【００７８】
一方、ユーザ端末は、トリガセルであるアンライセンスＣＣ７で割り当てられるＰＵＳＣＨの送信前（例えば、図８では、サブフレーム＃ｎ＋４の直前）にＬＢＴを行う。図８に示すように、ＬＢＴ結果がアイドル状態である場合、ユーザ端末は、アンライセンスＣＣ７で割り当てられるＰＵＳＣＨを用いて、ユーザデータを送信する。
【００７９】
なお、図８において、ユーザ端末から送信すべきユーザデータが存在しない場合、無線基地局は、報告先セルのＰＵＳＣＨリソースを確保し、トリガセルのＰＵＳＣＨリソースを確保しなくともよい。この場合、無線基地局は、報告先セルのＰＵＳＣＨリソースの割り当て情報と、ＣＳＩ要求フィールドを含むＵＬグラントを、トリガセルで送信してもよい。ユーザ端末は、報告先セルで割り当てられるＰＵＳＣＨを用いて非周期ＣＳＩを送信し、ユーザデータを送信しない。
【００８０】
図９は、第１の態様に係る非周期ＣＳＩ及びユーザデータの第１のマッピング例を示す図である。図９Ａでは、図８のトリガセルのＰＵＳＣＨを用いて送信されるユーザデータのマッピング例が示される。図９Ｂ及び９Ｃでは、図８の報告先セルのＰＵＳＣＨを用いて送信される非周期ＣＳＩのマッピング例が示される。
【００８１】
図９Ａに示すように、トリガセルのＰＵＳＣＨを用いてユーザデータを送信する場合、ユーザ端末は、トリガセルで受信したＵＬグラント内の割り当て情報が示すＰＵＳＣＨリソース（１以上のＰＲＢ）にユーザデータをマッピングする。例えば、ユーザ端末は、ＰＵＳＣＨリソースにおいて、各スロットのシンボル＃３の全リソースエレメント（ＲＥ：Resource  Element）に、ユーザデータの復調用参照信号（ＤＭＲＳ：DeModulation  Reference  Signal）をマッピングし、シンボル＃３以外のシンボルの全ＲＥにユーザデータをマッピングする。
【００８２】
一方、図９Ｂに示すように、報告先セルのＰＵＳＣＨを用いて非周期ＣＳＩを送信する場合、ユーザ端末は、トリガセルで受信したＵＬグラント内の割り当て情報が示すＰＵＳＣＨリソース（１以上のＰＲＢ）の全て又は一部に非周期ＣＳＩをマッピングしてもよい。ここで、非周期ＣＳＩには、ランク識別子（ＲＩ：Rank  Indicator）、チャネル品質識別子（ＣＱＩ：Channel  Quality  Indicator）、プリコーディングマトリクス識別子（ＰＭＩ：Precoding  Matrix  Indicator）の少なくとも一つが含まれる。
【００８３】
例えば、図９Ｂに示すように、ユーザ端末は、ＰＵＳＣＨリソースにおいて、各スロットのシンボル＃３の全ＲＥにＤＭＲＳをマッピングし、各スロットのシンボル＃１及び＃５のＲＥに一方の周波数領域からＲＩをマッピングし、残りの全ＲＥに他方の周波数領域からＣＱＩをマッピングしてもよい。
【００８４】
或いは、図９Ｃに示すように、ＰＵＳＣＨリソースにおいてＣＱＩのマッピング後にも未使用のＲＥがある場合、当該未使用のＲＥには、他のユーザ端末からのユーザデータがマッピングされてもよい。図９Ｃに示すように、同一のＰＲＢ内に、複数のユーザ端末の非周期ＣＳＩとユーザデータとが多重される場合、当該複数のユーザ端末のＤＭＲＳは各スロットのシンボル＃３で多重（例えば、直交拡散符号を用いて直交多重）されてもよい。図１０を参照し、未使用のＲＥに対する他のユーザ端末からのユーザデータのマッピング例を詳細に説明する。
【００８５】
図１０は、第１の態様に係る非周期ＣＳＩの第２のマッピング例を示す図である。図１０では、ユーザ端末１及び２に対するＰＵＳＣＨリソースとして同一の連続する２ＰＲＢが割り当てられるものとする。また、ユーザ端末１に対しては、非周期ＣＳＩの送信が要求されているものとする。
【００８６】
図９Ｂ及び９Ｃで説明したように、ユーザ端末１は、ＰＵＳＣＨリソースとして割り当てられた２ＰＲＢにおいて、各スロットのシンボル＃３の全ＲＥにＤＭＲＳをマッピングし、各スロットのシンボル＃１及び＃５のＲＥに一方の周波数領域からＲＩをマッピングし、残りのＲＥに他方の周波数領域からＣＱＩをマッピングする。ここで、ユーザ端末１と同一の２ＰＲＢをＰＵＳＣＨリソースとして割り当てられるユーザ端末２は、当該ＰＵＳＣＨリソースにユーザデータをマッピングするためには、ユーザ端末１の非周期ＣＳＩのマッピング有無を知る必要がある。
【００８７】
そこで、ユーザ端末２にＰＵＳＣＨを割り当てるＵＬグラントには、非周期ＣＳＩの送信を要求しない場合であっても、「０００」以外の（すなわち、非周期ＣＳＩの送信を要求する）ＣＳＩ要求フィールド値が含められてもよい。この場合、当該ＵＬグラントには、ユーザ端末２に実際に非周期ＣＳＩの送信を要求するか否かを示すフィールド（例えば、１ビット）が追加されてもよい。
【００８８】
当該フィールド値が非周期ＣＳＩの送信を要求しないことを示す（例えば、「０」である）場合、ユーザ端末２は、ＰＵＳＣＨリソース内の所定数のＲＥにユーザ端末１からの非周期ＣＳＩがマッピングされると判断し、当該所定数のＲＥには、ユーザ端末２からのユーザデータをマッピングしない。なお、所定数のＲＥは、例えば、上位レイヤシグナリングによりユーザ端末２に通知される制御サイズ２によって示されてもよい。また、制御サイズ２は、ユーザ端末１の非周期ＣＳＩがマッピングされる実際のＲＥ数を示す制御サイズ１以上に設定される。
【００８９】
或いは、ＰＵＳＣＨリソースにおいてＣＱＩのマッピング後にも未使用のＰＲＢがある場合、当該未使用のＰＲＢに、他のユーザ端末からのユーザデータがマッピングされてもよい。図１１を参照し、未使用のＰＲＢに対する他のユーザ端末からのユーザデータのマッピング例を詳細に説明する。
【００９０】
図１１は、第１の態様に係る非周期ＣＳＩの第３のマッピング例を示す図である。図１１では、ユーザ端末１に対するＰＵＳＣＨリソースとして連続する４ＰＲＢが割り当てられるものとする。また、ユーザ端末１に対しては、非周期ＣＳＩの送信が要求されているものとする。
【００９１】
ユーザ端末１は、各スロットのシンボル＃１及び＃５のＲＥに一方の周波数領域からＲＩをマッピングし、残りのＲＥに他方の周波数領域からＣＱＩをマッピングする。ユーザ端末２は、ユーザ端末１の非周期ＣＳＩがマッピングされていない２ＰＲＢにユーザデータをマッピングする。
【００９２】
ここで、ユーザ端末１は、ＣＱＩ及びＲＩがマッピングされた両端の２ＰＲＢにおいて、各スロットのシンボル＃３にＤＭＲＳをマッピングしてもよい。この場合、ユーザ端末２に対しては、ユーザ端末１が使用していない中央の２ＰＲＢがＰＵＳＣＨリソースとして割り当てられ、ＵＬグラントを用いて通知される。ユーザ端末２は、中央の２ＰＲＢにおいて、各スロットのシンボル＃３にＤＭＲＳをマッピングしてもよい。ユーザ端末２は、中央の２ＰＲＢを自端末向けのＰＵＳＣＨリソースとして認識するので、ユーザデータの割り当て制限を考慮しなくともよい。
【００９３】
或いは、ユーザ端末１は、ＣＱＩ及びＲＩがマッピングされた両端の２ＰＲＢだけでなく、中央の２ＰＲＢにおいても、各スロットのシンボル＃３にＤＭＲＳをマッピングしてもよい。この場合、ユーザ端末２に対しても、ユーザ端末１と同一の４ＰＲＢがＰＵＳＣＨリソースとして割り当てられ、ＵＬグラントを用いて通知される。ユーザ端末２は、ユーザ端末１と同様に、４ＰＲＢの各スロットのシンボル＃３にＤＭＲＳをマッピングする。なお、ユーザ端末１のＤＭＲＳとユーザ端末２のＤＭＲＳとは、各スロットのシンボル＃３で多重（例えば、直交拡散符号を用いて直交多重）される。
【００９４】
後者のように、ユーザ端末１及び２の双方にＰＵＳＣＨリソースとして４ＰＲＢが割り当てられる場合、ユーザ端末２は、ＰＵＳＣＨリソース内でデータの割り当てが制限されるＰＲＢを認識する必要がある。そこで、割り当てが制限されるＲＥを通知する場合と同様に、ユーザ端末２にＰＵＳＣＨを割り当てるＵＬグラントには、非周期ＣＳＩの送信を要求しない場合であっても、「０００」以外の（すなわち、非周期ＣＳＩの送信を要求する）ＣＳＩ要求フィールド値が含められてもよい。この場合、当該ＵＬグラントには、ユーザ端末２に実際に非周期ＣＳＩの送信を要求するか否かを示すフィールド（例えば、１ビット）が追加されてもよい。
【００９５】
当該フィールド値が非周期ＣＳＩの送信を要求しないことを示す（例えば、「０」である）場合、ユーザ端末２は、ＰＵＳＣＨリソース内の所定数のＰＲＢにユーザ端末１からの非周期ＣＳＩがマッピングされると判断し、当該所定数のＰＲＢには、ユーザ端末２からのユーザデータをマッピングしない。なお、所定数のＰＲＢは、例えば、上位レイヤシグナリングによりユーザ端末２に通知される制御サイズ２によって示されてもよい。また、制御サイズ２は、ユーザ端末１の非周期ＣＳＩがマッピングされる実際のＰＲＢ数を示す制御サイズ１以上に設定される。
【００９６】
＜非周期ＣＳＩ及びユーザデータを報告先セルで送信＞
トリガセルに準静的又は動的に関連付けられる報告先セルで非周期ＣＳＩを送信する場合、無線基地局は、トリガセルでＣＳＩ要求フィールドを含むＵＬグラントを送信する際に、トリガセルにおけるＰＵＳＣＨリソースを確保せずに、報告先セルにおけるＰＵＳＣＨリソースを確保してもよい。報告先セルにおけるＰＵＳＣＨリソースは、トリガセルで送信されるＵＬグラントの所定フィールドを用いてユーザ端末に通知される。
【００９７】
このように、トリガセルでのＣＳＩ要求フィールドを含むＵＬグラントの送信時に、報告先セルでのＰＵＳＣＨリソースが確保される場合、ユーザ端末は、報告先セルで割り当てられるＰＵＳＣＨを用いて非周期ＣＳＩ及びユーザデータを送信してもよい。
【００９８】
図１２は、第１の態様に係る非周期ＣＳＩ及びユーザデータの第２の送信例を示す図である。なお、図１２では、トリガセルがアンライセンスＣＣ７であり、当該アンライセンスＣＣ７に関連付けられる報告先セルがライセンスＣＣ１であるものとする。
【００９９】
図１２Ａに示すように、トリガセルであるアンライセンスＣＣ７において、ＣＳＩ要求フィールド値「００１」を含むＵＬグラントが送信される場合、無線基地局は、アンライセンスＣＣ７に関連付けられるライセンスＣＣ１のＰＵＳＣＨリソースを確保する。無線基地局は、ライセンスＣＣ１で割り当てられるＰＵＳＣＨリソースを示す割り当て情報を、アンライセンスＣＣ７で送信されるＵＬグラントに含める。
【０１００】
図１２Ａにおいて、ユーザ端末は、アンライセンスＣＣ７のサブフレーム＃ｎにおいて、ライセンスＣＣ１のＰＵＳＣＨの割り当て情報と、ＣＳＩ要求フィールド値「００１」と、を含むＵＬグラントを受信する。ユーザ端末は、報告先セルであるライセンスＣＣ１で割り当てられるＰＵＳＣＨを用いて、トリガセルであるアンライセンスＣＣ７の非周期ＣＳＩ及びユーザデータを送信する。
【０１０１】
一方、図１２Ｂに示すように、トリガセルであるアンライセンスＣＣ７において、ＣＳＩ要求フィールド値「０００」を含むＵＬグラントが送信される場合、無線基地局は、アンライセンスＣＣ７のＰＵＳＣＨリソースを確保する。無線基地局は、アンライセンスＣＣ７で割り当てられるＰＵＳＣＨリソースを示す割り当て情報を、アンライセンスＣＣ７で送信されるＵＬグラントに含める。
【０１０２】
図１２Ｂにおいて、ユーザ端末は、アンライセンスＣＣ７のサブフレーム＃ｎにおいて、アンライセンスＣＣ７のＰＵＳＣＨの割り当て情報と、ＣＳＩ要求フィールド値「０００」と、を含むＵＬグラントを受信する。ユーザ端末は、トリガセルであるアンライセンスＣＣ７で割り当てられるＰＵＳＣＨを用いて、ユーザデータを送信する。
【０１０３】
図１３は、第１の態様に係る非周期ＣＳＩ及びユーザデータの第２のマッピング例を示す図である。図１３Ａでは、図１２Ａの報告先セルのＰＵＳＣＨを用いて送信される非周期ＣＳＩ及びユーザデータのマッピング例が示される。図１３Ｂでは、図１２ＢのトリガセルのＰＵＳＣＨを用いて送信されるユーザデータのマッピング例が示される。
【０１０４】
図１３Ａに示すように、報告先セルのＰＵＳＣＨを用いて非周期ＣＳＩ及びユーザデータを送信する場合、ユーザ端末は、トリガセルで受信したＵＬグラント内の割り当て情報が示すＰＵＳＣＨリソース（１以上のＰＲＢ）の全て又は一部に非周期ＣＳＩをマッピングしてもよい。
【０１０５】
例えば、図１３Ａに示すように、ユーザ端末は、ＰＵＳＣＨリソースにおいて、各スロットのシンボル＃３の全ＲＥにＤＭＲＳをマッピングし、各スロットのシンボル＃１及び＃５のＲＥに一方の周波数領域からＲＩをマッピングし、残りのＲＥに他方の周波数領域からＣＱＩをマッピングし、残りのＲＥにユーザデータをマッピングしてもよい。
【０１０６】
図１３Ｂに示すように、トリガセルのＰＵＳＣＨを用いてユーザデータを送信する場合は、図９Ｂと同様であるため、説明を省略する。
【０１０７】
以上のように、第１の態様によれば、アンライセンスＣＣであるトリガセルの報告先セルとしてライセンスＣＣとが関連付けられるので、アンライセンスＣＣにおいて非周期ＣＳＩの送信を要求するＵＬグラントが受信される場合でも、ユーザ端末は、ＬＢＴ結果によらずに、ライセンスＣＣのＰＵＳＣＨを用いて当該非周期ＣＳＩを送信できる。したがって、ＬＢＴ結果がビジー状態であることに起因した非周期ＣＳＩの報告遅延を防止できる。
【０１０８】
また、ライセンスＣＣの下り制御チャネル（例えば、ＰＤＣＣＨ：Physical  Downlink  Control  Channel及び／又はＥＰＤＣＣＨ：Enhanced  ＰＤＣＣＨ）の負荷が高い場合であっても、アンライセンスＣＣの下り制御チャネルを用いて非周期ＣＳＩの送信を要求するＵＬグラントを送信できる。このため、ライセンスＣＣの下り制御チャネルの過負荷（overload）に起因した非周期ＣＳＩの報告遅延を防止できる。
【０１０９】
（第２の態様）
第２の態様では、アンライセンスＣＣのＰＵＳＣＨを用いた非周期ＣＳＩの送信要求が無効化される。具体的には、第２の態様において、（１）無線基地局は、アンライセンスＣＣのＰＵＳＣＨを割り当てるＵＬグラントからＣＳＩ要求フィールドを取り除いてもよい。或いは、（２）無線基地局は、アンライセンスＣＣのＰＵＳＣＨを割り当てるＵＬグラントに、非周期ＣＳＩの送信を要求しないことを示すＣＳＩ要求フィールド値を含めてもよい。或いは、（３）ユーザ端末は、アンライセンスＣＣで受信されるＵＬグラントにどのようなＣＳＩ要求フィールド値が含まれていても、当該ＣＳＩ要求フィールドを無視してもよい。
【０１１０】
上記（１）のように、無線基地局は、アンライセンスＣＣのＰＵＳＣＨを割り当てるＵＬグラントからＣＳＩ要求フィールドを取り除いてもよい。この場合、当該ＣＳＩ要求フィールドが他の用途に用いられてもよいし、ＵＬグラント（ＤＣＩフォーマット）のサイズが縮小されてもよい。
【０１１１】
或いは、上記（２）のように、無線基地局は、アンライセンスＣＣのＰＵＳＣＨを割り当てるＵＬグラントに、非周期ＣＳＩの送信を要求しないことを示すＣＳＩ要求フィールド値を含めてもよい。この場合、例えば、３ビットのＣＳＩ要求フィールドには「０００」が設定され、２ビットのＣＳＩ要求フィールドには「００」が設定され、１ビットのＣＳＩ要求フィールドには「０」が設定される。
【０１１２】
或いは、上記（３）のように、ユーザ端末は、アンライセンスＣＣで受信されるＵＬグラントにどのようなＣＳＩ要求フィールド値が含まれていても、当該ＣＳＩ要求フィールドを無視してもよい。図１４は、第２の態様に係る非周期ＣＳＩ報告の一例（上記（３）の場合）を示す図である。
【０１１３】
図１４に示すように、ユーザ端末は、ライセンスＣＣ１のＰＵＳＣＨを割り当てるＵＬグラントにＣＳＩ要求フィールド値「０１０」が含まれる場合、ライセンスＣＣ１のＰＵＳＣＨを用いて、第１のＣＳＩプロセスセット（ここでは、ライセンスＣＣ１、アンライセンスＣＣ７及び８）の非周期ＣＳＩを送信する。
【０１１４】
一方、ユーザ端末は、アンライセンスＣＣ７のＰＵＳＣＨを割り当てるＵＬグラントにＣＳＩ要求フィールド値「０１０」が含まれる場合であっても、アンライセンスＣＣ７のＰＵＳＣＨ送信前のＬＢＴ結果に関係なく、非周期ＣＳＩを送信しない。このように、上記（３）の場合、ユーザ端末は、アンライセンスＣＣのＰＵＳＣＨを割り当てるＵＬグラント内のＣＳＩ要求フィールド値がどのような値であっても、アンライセンスＣＣでは非周期ＣＳＩを報告しない。なお、ユーザ端末は、ＬＢＴ結果がアイドル状態であれば、アンライセンスＣＣ７のＰＵＳＣＨを用いてユーザデータを送信してもよい。
【０１１５】
以上のように、第２の態様によれば、アンライセンスＣＣにおける非周期ＣＳＩの送信要求が無効化されるので、ユーザ端末は、ライセンスＣＣのＰＵＳＣＨだけを用いて非周期ＣＳＩを送信できる。したがって、ＬＢＴ結果がビジー状態であることに起因した非周期ＣＳＩの報告遅延を防止できる。
【０１１６】
（無線通信システム）
以下、本実施の形態に係る無線通信システムの構成について説明する。この無線通信システムでは、上述の各態様に係る無線通信方法が適用される。なお、各態様に係る無線通信方法は、単独で用いられてもよいし、組み合わせて用いられてもよい。
【０１１７】
図１５は、本実施の形態に係る無線通信システムの概略構成の一例を示す図である。無線通信システム１では、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。また、無線通信システム１は、アンライセンスバンドを利用可能な無線基地局（例えば、ＬＴＥ−Ｕ基地局）を有している。
【０１１８】
なお、無線通信システム１は、ＳＵＰＥＲ  ３Ｇ、ＬＴＥ−Ａ（LTE-Advanced）、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）などと呼ばれてもよい。
【０１１９】
図１５に示す無線通信システム１は、マクロセルＣ１を形成する無線基地局１１と、マクロセルＣ１内に配置され、マクロセルＣ１よりも狭いスモールセルＣ２を形成する無線基地局１２（１２ａ−１２ｃ）とを備えている。また、マクロセルＣ１及び各スモールセルＣ２には、ユーザ端末２０が配置されている。例えば、マクロセルＣ１をライセンスバンドで利用し、スモールセルＣ２をアンライセンスバンド（ＬＴＥ−Ｕ）で利用する形態が考えられる。また、スモールセルの一部をライセンスバンドで利用し、他のスモールセルをアンライセンスバンドで利用する形態が考えられる。
【０１２０】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。例えば、ライセンスバンドを利用する無線基地局１１からユーザ端末２０に対して、アンライセンスバンドを利用する無線基地局１２（例えば、ＬＴＥ−Ｕ基地局）に関するアシスト情報（例えば、下り信号構成）を送信することができる。また、ライセンスバンドとアンライセンスバンドでＣＡを行う場合、１つの無線基地局（例えば、無線基地局１１）がライセンスバンドのセル（ライセンスＣＣ）及びアンライセンスバンドのセル（アンライセンスＣＣ）のスケジュールを制御する構成とすることも可能である。
【０１２１】
なお、ユーザ端末２０は、無線基地局１１に接続せず、無線基地局１２に接続する構成としてもよい。例えば、アンライセンスバンドを用いる無線基地局１２がユーザ端末２０とスタンドアローンで接続する構成としてもよい。この場合、無線基地局１２がアンライセンスバンドセルのスケジュールを制御する。
【０１２２】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１２４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１２５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。また、同一のアンライセンスバンドを共有して利用する各無線基地局１０は、時間的に同期するように構成されていることが好ましい。
【０１２６】
各ユーザ端末２０は、ＬＴＥ、ＬＴＥ−Ａなどの各種通信方式に対応した端末であり、移動通信端末だけでなく固定通信端末を含んでよい。
【０１２７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single-Carrier  Frequency  Division  Multiple  Access）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【０１２８】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨは、下りデータチャネルと呼ばれてもよい。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１２９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨの割り当て情報（スケジューリング情報）を含む下り制御情報（ＤＣＩ：Downlink  Control  Information）などが伝送される。ＰＣＦＩＣＨにより、ＰＤＣＣＨに用いるＯＦＤＭシンボル数であるＣＦＩ（Control  Format  Indicator）が伝送される。ＰＨＩＣＨにより、ＰＵＳＣＨに対する再送制御情報（ＨＡＲＱ−ＡＣＫ）が伝送される。ＥＰＤＣＣＨは、ＰＤＳＣＨと周波数分割多重され、ＰＤＣＣＨと同様にＤＣＩなどの伝送に用いられる。
【０１３０】
無線通信システム１では、上りリンクのチャネルとして、各ユーザ端末２０で共有される上り共有チャネル（ＰＵＳＣＨ：Physical  Uplink  Shared  Channel）、上りＬ１／Ｌ２制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨは、上りデータチャネルと呼ばれてもよい。ＰＵＳＣＨにより、ユーザデータ（上位レイヤ制御情報を含む）及び／又は上り制御情報（ＵＣＩ：Uplink  control  Information）が伝送される。また、ＰＵＣＣＨにより、ＵＣＩが伝送される。
【０１３１】
ＵＣＩには、ＰＤＳＣＨの再送制御情報（ＨＡＲＱ−ＡＣＫ：Hybrid  Automatic  Repeat  reQuest-Acknowledgement）、チャネル状態情報（ＣＳＩ）の少なくとも一つが含まれる。ＣＳＩは、非周期ＣＳＩには、ランク識別子（ＲＩ：Rank  Indicator）、チャネル品質識別子（ＣＱＩ：Channel  Quality  Indicator）、プリコーディングマトリクス識別子（ＰＭＩ：Precoding  Matrix  Indicator）の少なくとも一つが含まれる。非周期に報告されるＣＳＩは、非周期ＣＳＩ（Ａ−ＣＳＩ）とも呼ばれる。
【０１３２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、検出及び／又は測定用参照信号（ＤＲＳ：Discovery  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１３３】
＜無線基地局＞
図１６は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１３４】
下りリンクにより無線基地局１０からユーザ端末２０に送信されるユーザデータは、上位局装置３０から伝送路インターフェース１０６を介してベースバンド信号処理部１０４に入力される。
【０１３５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１３６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１３７】
送受信部１０３は、アンライセンスバンドのセル（以下、アンライセンスＣＣともいう）及び／又はライセンスバンドのセル（以下、ライセンスＣＣともいう）において、上り及び／又は下り（以下、上り／下り）信号の送受信が可能である。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１４０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４１】
なお、送受信部１０３は、アンライセンスＣＣ（第１のセル）及び／又はライセンスＣＣ（第２のセル）において、ユーザ端末２０に下り信号を送信する。例えば、送受信部１０３は、ライセンスＣＣにおいて、ライセンスＣＣのＰＵＳＣＨの割り当て情報（セルフキャリアスケジューリング情報）、又は、アンライセンスＣＣのＰＵＳＣＨの割り当て情報（クロスキャリアスケジューリング情報）を含むＤＣＩ（ＵＬグラント）を送信してもよい。また、送受信部１０３は、アンライセンスＣＣにおいて、アンライセンスＣＣのＰＵＳＣＨの割り当て情報を含むＵＬグラントを送信してもよい。また、アンライセンスＣＣで送信されるＵＬグラントにＣＳＩ要求フィールドが含まれる場合、当該ＵＬグラントには、ライセンスＣＣのＰＵＳＣＨの割り当て情報が含まれてもよい。
【０１４２】
また、送受信部１０３は、アンライセンスＣＣ及び／又はライセンスＣＣにおいて、ユーザ端末２０から上り信号を受信する。例えば、送受信部１０３は、上記ＵＬグラントによりアンライセンスＣＣ及び／又はライセンスＣＣで割り当てられるＰＵＳＣＨを受信する。
【０１４３】
例えば、送受信部１０３は、アンライセンスＣＣにおいてＰＵＳＣＨを割り当てるＵＬグラントを送信する場合、当該アンライセンスＣＣに関連付けられるライセンスＣＣのＰＵＳＣＨを用いて、当該ＵＬグラント内のＣＳＩ要求フィールド値が示す非周期ＣＳＩを受信してもよい。また、送受信部１０３は、ライセンスＣＣにおいてＰＵＳＣＨを割り当てるＵＬグラントを送信する場合、当該ライセンスＣＣのＰＵＳＣＨを用いて、当該ＵＬグラント内のＣＳＩ要求フィールド値が示す非周期ＣＳＩを受信してもよい。
【０１４４】
図１７は、本実施の形態に係る無線基地局の機能構成の一例を示す図である。なお、図１７では、本実施の形態における特徴部分の機能ブロックを主に示しており、無線基地局１０は、無線通信に必要な他の機能ブロックも有しているものとする。図１７に示すように、ベースバンド信号処理部１０４は、制御部（スケジューラ）３０１と、送信信号生成部３０２と、マッピング部３０３と、受信信号処理部３０４と、測定部３０５と、を少なくとも備えている。
【０１４５】
制御部（スケジューラ）３０１は、無線基地局１０全体の制御を実施する。なお、ライセンスＣＣとアンライセンスＣＣに対して１つの制御部（スケジューラ）３０１でスケジューリングを行う場合、制御部３０１は、ライセンスバンドＣＣ及びアンライセンスＣＣの通信を制御してもよい。制御部３０１は、本発明に係る技術分野での共通認識に基づいて説明されるコントローラ、制御回路又は制御装置とすることができる。
【０１４６】
制御部３０１は、例えば、送信信号生成部３０２による下り信号の生成や、マッピング部３０３による下り信号の割り当てを制御する。また、制御部３０１は、受信信号処理部３０４による信号の受信処理や、測定部３０５による信号の測定を制御する。
【０１４７】
制御部３０１は、下り信号（システム情報、ＤＣＩを送信するＰＤＣＣＨ／ＥＰＤＣＣＨ、ＰＤＳＣＨ、下り参照信号、同期信号など）のスケジューリング、生成、マッピング、送信などを制御する。また、制御部３０１は、測定部３０５によるＬＢＴ（リスニング）を制御し、ＬＢＴ結果に従って、送信信号生成部３０２及びマッピング部３０３に対して、下り信号の送信を制御する。
【０１４８】
また、制御部３０１は、上り信号（ＰＵＳＣＨ、ＰＵＣＣＨ、ＰＲＡＣＨ、上り参照信号など）のスケジューリング、受信などを制御する。
【０１４９】
また、制御部３０１は、非周期ＣＳＩの報告を制御する。具体的には、制御部３０１は、所望の非周期ＣＳＩの送信を指示するＣＳＩ要求フィールド値（送信指示情報）を含むＵＬグラントを生成及び送信するように、送信信号生成部３０２及びマッピング部３０３、送受信部１０３を制御する。
【０１５０】
また、制御部３０１は、上記非周期ＣＳＩの報告先セルを制御する。例えば、制御部３０１は、上記非周期ＣＳＩのトリガセルに関連付けられる報告先セルを示す上位レイヤ制御情報を生成及び送信するように、送信信号生成部３０２及びマッピング部３０３、送受信部１０３を制御してもよい（第１の態様、図５）。或いは、制御部３０１は、上記非周期ＣＳＩのトリガセルに関連付けられる報告先セルを示す関連付け情報を上記ＵＬグラントに含めるように、送信信号生成部３０２を制御してもよい（第１の態様、図６）。或いは、制御部３０１は、上記非周期ＣＳＩのトリガセルに関連付けられる報告先セルを示すＣＳＩ要求フィールド値を上記ＵＬグラントに含めるように、送信信号生成部３０２を制御してもよい（第１の態様、図７）。
【０１５１】
また、制御部３０１は、ユーザ端末２０からのユーザデータの送信に他のユーザ端末２０からの非周期ＣＳＩに未使用のリソース（例えば、ＲＥ、ＰＲＢ）を用いることができるように、当該ユーザ端末２０に対するＵＬグラントに、非周期ＣＳＩの送信を要求しない場合であっても、「０００」以外の（すなわち、非周期ＣＳＩの送信を要求する）ＣＳＩ要求フィールド値を含めるように、送信信号生成部３０２を制御してもよい（第１の態様、図１０及び１１）。この場合、制御部３０１は、当該ＵＬグラントに、ユーザ端末２０に実際に非周期ＣＳＩの送信を要求するか否かを示すフィールド（例えば、１ビット）を追加するように、送信信号生成部３０２を制御してもよい。
【０１５２】
また、制御部３０１は、ライセンスＣＣのＰＵＳＣＨに割り当てるＵＬグラントには、ＣＳＩ要求フィールドを含めないように、送信信号生成部３０２を制御してもよい（第２の態様）。或いは、制御部３０１は、ライセンスＣＣのＰＵＳＣＨに割り当てるＵＬグラントには、非周期ＣＳＩの送信を要求しないことを示すＣＳＩ要求フィールド値「０００」を含めるように、送信信号生成部３０２を制御してもよい（第２の態様）。
【０１５３】
また、制御部３０１は、上記非周期ＣＳＩに基づいて、ユーザ端末２０との通信を制御する。具体的には、アンライセンスＣＣにおいて上記ＵＬグラントを送信する場合、当該アンライセンスＣＣに関連付けられるライセンスＣＣで受信される非周期ＣＳＩに基づいて、ユーザ端末２０との通信を制御する。
【０１５４】
送信信号生成部３０２は、制御部３０１からの指示に基づいて、下り信号を生成して、マッピング部３０３に出力する。送信信号生成部３０２は、本発明に係る技術分野での共通認識に基づいて説明される信号生成器、信号生成回路又は信号生成装置から構成することができる。
【０１５５】
送信信号生成部３０２は、例えば、制御部３０１からの指示に基づいて、上記ＵＬグラントを生成する。また、ＰＤＳＣＨには、ユーザ端末２０から報告されるＣＳＩに基づいて決定された符号化率、変調方式などに従って符号化処理、変調処理が行われる。また、送信信号生成部３０２は、ＰＳＳ、ＳＳＳ、ＣＲＳ、ＣＳＩ−ＲＳなどを含むＤＲＳを生成する。
【０１５６】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１５７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号である。受信信号処理部３０４は、本発明に係る技術分野での共通認識に基づいて説明される信号処理器、信号処理回路又は信号処理装置から構成することができる。
【０１５８】
受信信号処理部３０４は、受信処理により復号された情報を制御部３０１に出力する。例えば、非周期ＣＳＩを含むＰＵＳＣＨを受信した場合、当該非周期ＣＳＩを制御部３０１に出力する。また、受信信号処理部３０４は、受信信号や、受信処理後の信号を、測定部３０５に出力する。
【０１５９】
測定部３０５は、受信した信号に関する測定を実施する。測定部３０５は、本発明に係る技術分野での共通認識に基づいて説明される測定器、測定回路又は測定装置から構成することができる。
【０１６０】
測定部３０５は、制御部３０１からの指示に基づいて、ＬＢＴ（リスニング）が設定されるキャリア（例えば、アンライセンスバンド）でＬＢＴを実施し、ＬＢＴ結果（例えば、チャネル状態がアイドルであるかビジーであるかの判定結果）を、制御部３０１に出力する。
【０１６１】
また、測定部３０５は、ＤＭＲＳを用いてチャネル状態を推定し、推定結果を制御部３０１に出力する。制御部３０１は、推定されたチャネル状態に基づいて、受信信号処理部３０４におけるＰＵＳＣＨの受信処理を制御してもよい。
【０１６２】
＜ユーザ端末＞
図１８は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６３】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、アンライセンスバＣＣ及び／又はライセンスＣＣで上り／下り信号の送受信が可能である。
【０１６４】
送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６５】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１６６】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１６７】
なお、送受信部２０３は、アンライセンスＣＣ（第１のセル）及び／又はライセンスＣＣ（第２のセル）において、無線基地局１０から下り信号を受信する。例えば、送受信部２０３は、ライセンスＣＣにおいて、ライセンスＣＣのＰＵＳＣＨの割り当て情報（セルフキャリアスケジューリング情報）、又は、アンライセンスＣＣのＰＵＳＣＨの割り当て情報（クロスキャリアスケジューリング情報）を含むＵＬグラントを受信してもよい。また、送受信部２０３は、アンライセンスＣＣにおいて、アンライセンスＣＣのＰＵＳＣＨの割り当て情報を含むＵＬグラントを受信してもよい。また、アンライセンスＣＣで送信されるＵＬグラントにＣＳＩ要求フィールドが含まれる場合、当該ＵＬグラントには、ライセンスＣＣのＰＵＳＣＨの割り当て情報が含まれてもよい。
【０１６８】
また、送受信部２０３は、非周期ＣＳＩのトリガセルに関連付けられる報告先セルを示す上位レイヤ制御情報を受信してもよい（第１の態様、図５）。或いは、送受信部２０３は、上記非周期ＣＳＩのトリガセルに関連付けられる報告先セルを示す関連付け情報を含むＵＬグラントを受信してもよい（第１の態様、図６）。或いは、送受信部２０３は、上記非周期ＣＳＩのトリガセルに関連付けられる報告先セルを示すＣＳＩ要求フィールド値を含むＵＬグラントを受信してもよい（第１の態様、図７）。
【０１６９】
また、送受信部２０３は、アンライセンスＣＣ及び／又はライセンスＣＣにおいて、ユーザ端末２０から上り信号を送信する。例えば、送受信部１０３は、上記ＵＬグラントによりアンライセンスＣＣ及び／又はライセンスＣＣで割り当てられるＰＵＳＣＨを送信する。
【０１７０】
例えば、送受信部２０３は、アンライセンスＣＣにおいてＰＵＳＣＨを割り当てるＵＬグラントを受信する場合、当該アンライセンスＣＣに関連付けられるライセンスＣＣのＰＵＳＣＨを用いて、当該ＵＬグラント内のＣＳＩ要求フィールド値が示す非周期ＣＳＩを送信してもよい。また、送受信部２０３は、ライセンスＣＣにおいてＰＵＳＣＨを割り当てるＵＬグラントを送信する場合、当該ライセンスＣＣのＰＵＳＣＨを用いて、当該ＵＬグラント内のＣＳＩ要求フィールド値が示す非周期ＣＳＩを送信してもよい。
【０１７１】
図１９は、本実施の形態に係るユーザ端末の機能構成の一例を示す図である。なお、図１９においては、本実施の形態における特徴部分の機能ブロックを主に示しており、ユーザ端末２０は、無線通信に必要な他の機能ブロックも有しているものとする。図１９に示すように、ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１７２】
制御部４０１は、ユーザ端末２０全体の制御を実施する。制御部４０１は、本発明に係る技術分野での共通認識に基づいて説明されるコントローラ、制御回路又は制御装置から構成することができる。
【０１７３】
制御部４０１は、例えば、送信信号生成部４０２による上り信号の生成や、マッピング部４０３による上り信号の割り当てを制御する。また、制御部４０１は、受信信号処理部４０４による下り信号の受信処理や、測定部４０５による信号の測定を制御する。
【０１７４】
制御部４０１は、無線基地局１０から送信された下り信号（ＰＤＣＣＨ／ＥＰＤＣＣＨ、ＰＤＳＣＨ、下り参照信号、同期信号など）を、受信信号処理部４０４から取得する。制御部４０１は、ＰＤＣＣＨ／ＥＰＤＣＣＨ（下り制御信号）に含まれるＤＣＩや、ＰＤＳＣＨ（下りデータ信号）の復号結果に基づいて、上り信号（例えば、ＰＵＣＣＨ、ＰＵＳＣＨなど）の生成を制御する。
【０１７５】
また、制御部４０１は、測定部４０５により得られたＬＢＴ結果に従って、送信信号生成部４０２及びマッピング部４０３に対して、上り信号の送信を制御してもよい。
【０１７６】
また、制御部４０１は、ＵＬグラントに含まれるＣＳＩ要求フィールド値（送信指示情報）に基づいて、ＰＵＳＣＨを用いた非周期ＣＳＩの送信を制御する。具体的には、制御部４０１は、アンライセンスＣＣにおいて送受信部２０３がＣＳＩ要求フィールド値を含むＵＬグラントを受信する場合、当該ＣＳＩ要求フィールド値に基づいて、ライセンスＣＣにおいて、非周期ＣＳＩを送信する。
【０１７７】
例えば、制御部４０１は、アンライセンスＣＣにおいて送受信部２０３がＣＳＩ要求フィールド値を含むＵＬグラントを受信する場合、上位レイヤ制御情報により当該アンライセンスＣＣに関連付けられるライセンスＣＣにおいて、非周期ＣＳＩを送信するように、送信信号生成部４０２、マッピング部４０３、送受信部２０３を制御してもよい（第１の態様、図５）。
【０１７８】
或いは、制御部４０１は、アンライセンスＣＣにおいて送受信部２０３がＣＳＩ要求フィールド値を含むＵＬグラントを受信する場合、当該ＵＬグラントに含まれる関連付け情報（例えば、リンクフィールド値）により当該アンライセンスＣＣに関連付けられるライセンスＣＣにおいて、非周期ＣＳＩを送信するように、送信信号生成部４０２、マッピング部４０３、送受信部２０３を制御してもよい（第１の態様、図６）。
【０１７９】
或いは、制御部４０１は、アンライセンスＣＣにおいて送受信部２０３がＣＳＩ要求フィールド値を含むＵＬグラントを受信する場合、当該ＵＬグラントに含まれるＣＳＩ要求フィールド値により当該アンライセンスＣＣに関連付けられるライセンスＣＣにおいて、非周期ＣＳＩを送信するように、送信信号生成部４０２、マッピング部４０３、送受信部２０３を制御してもよい（第１の態様、図７）。
【０１８０】
また、制御部４０１は、アンライセンスＣＣにおいて送受信部２０３がＣＳＩ要求フィールド値を含むＵＬグラントを受信する場合、ライセンスＣＣにおいて割り当てられるＰＵＳＣＨを用いてＣＳＩ要求フィールド値が示す非周期ＣＳＩを送信し、アンライセンスＣＣにおいて割り当てられるＰＵＳＣＨを用いてユーザデータを送信するように、送信信号生成部４０２、マッピング部４０３、送受信部２０３を制御してもよい（第１の態様、図８）。この場合、制御部４０１は、ライセンスＣＣにおけるＰＵＳＣＨリソース（割り当てリソース）の全体又は一部に、上記非周期ＣＳＩをマッピングするよう、マッピング部４０３を制御してもよい（第１の態様、図９−１１）。
【０１８１】
或いは、制御部４０１は、アンライセンスＣＣにおいて送受信部２０３がＣＳＩ要求フィールド値を含むＵＬグラントを受信する場合、ライセンスＣＣにおいて割り当てられるＰＵＳＣＨを用いてＣＳＩ要求フィールド値が示す非周期ＣＳＩ及びユーザデータの双方を送信するように、送信信号生成部４０２、マッピング部４０３、送受信部２０３を制御してもよい（第１の態様、図１２及び１３）。
【０１８２】
また、制御部４０１は、ＵＬグラントに、ユーザ端末２０に実際に非周期ＣＳＩの送信を要求するか否かを示す追加フィールド（例えば、１ビット）が含まれる場合、当該追加フィールド値に基づいて、非周期ＣＳＩを送信するか否かを決定してもよい。追加フィールド値が非周期ＣＳＩの送信を実際には要求しないことを示す場合、制御部４０１は、ＣＳＩ要求フィールド値が非周期ＣＳＩの送信要求を示しても、非周期ＣＳＩを送信せずに、所定のリソース（例えば、所定数のＲＥ又はＰＲＢ）にユーザデータをマッピングしてもよい（図１０及び１１）。なお、制御部４０１は、当該所定のリソースを、例えば、上位レイヤシグナリングによりユーザ端末２０に通知される制御サイズに基づいて決定してもよい。当該制御サイズは、他のユーザ端末２０の非周期ＣＳＩがマッピングされるリソースのサイズ以上に設定されてもよい。
【０１８３】
また、制御部４０１は、アンライセンスＣＣのＰＵＳＣＨを割り当てるＵＬグラントにＣＳＩ要求フィールド値が含まれる場合であっても、当該ＣＳＩ要求フィールド値に基づく非周期ＣＳＩの送信を中止してもよい（第２の態様、図１４）。なお、同様の場合、制御部４０１は、当該ＵＬグラントにより割り当てられるアンライセンスＣＣのＰＵＳＣＨを用いて、ユーザデータを送信してもよい。
【０１８４】
制御部４０１は、アンライセンスＣＣにおいて、測定用参照信号を用いてＲＲＭ測定及び／又はＣＳＩ測定を行うように、受信信号処理部４０４及び測定部４０５を制御する。なお、ＲＲＭ測定は、ＤＲＳを用いて行われてもよい。また、当該測定用参照信号は、ＣＲＳ、ＣＳＩ−ＲＳ、ＤＲＳに含まれるＣＳＩ又はＣＳＩ−ＲＳのいずれであってもよい。
【０１８５】
送信信号生成部４０２は、制御部４０１からの指示に基づいて、上り信号（ＰＵＳＣＨ、ＰＵＣＣＨ、上り参照信号など）を生成して、マッピング部４０３に出力する。送信信号生成部４０２は、本発明に係る技術分野での共通認識に基づいて説明される信号生成器、信号生成回路又は信号生成装置から構成することができる。例えば、送信信号生成部４０２は、無線基地局１０からの下り制御信号にユーザ端末２０宛のＤＣＩ（ＵＬグラント）が含まれている場合に、制御部４０１からＰＵＳＣＨの生成を指示される。
【０１８６】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１８７】
受信信号処理部４０４は、送受信部２０３から入力された受信信号に対して、受信処理（例えば、デマッピング、復調、復号など）を行う。ここで、受信信号は、例えば、無線基地局１０から送信される下り信号である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１８８】
受信信号処理部４０４は、受信処理により復号された情報を制御部４０１に出力する。受信信号処理部４０４は、例えば、報知情報、システム情報、ＲＲＣシグナリング、ＤＣＩなどを、制御部４０１に出力する。また、受信信号処理部４０４は、受信信号や、受信処理後の信号を、測定部４０５に出力する。
【０１８９】
測定部４０５は、受信した信号に関する測定を実施する。測定部４０５は、本発明に係る技術分野での共通認識に基づいて説明される測定器、測定回路又は測定装置から構成することができる。
【０１９０】
測定部４０５は、制御部４０１からの指示に基づいて、ＬＢＴが設定されるキャリア（例えば、アンライセンスバンド）でＬＢＴを実施してもよい。測定部４０５は、ＬＢＴ結果（例えば、チャネル状態がアイドルであるかビジーであるかの判定結果）を、制御部４０１に出力してもよい。
【０１９１】
また、測定部４０５は、制御部４０１の指示に従って、ＲＲＭ測定及びＣＳＩ測定を行う。例えば、測定部４０５は、測定用参照信号（ＣＲＳ、ＣＳＩ−ＲＳ、ＤＲＳに含まれるＣＲＳ又は、ＤＲＳの送信サブフレームに配置されるＣＳＩ測定用のＣＳＩ−ＲＳのいずれか）を用いて、ＣＳＩ測定を行う。測定結果は、制御部４０１に出力され、ＰＵＳＣＨ又はＰＵＣＣＨを用いて、送受信部２０３から送信される。
【０１９２】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１９３】
例えば、本発明の一実施形態における無線基地局、ユーザ端末などは、本発明の無線通信方法の処理を行うコンピュータとして機能してもよい。図２０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９５】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１９６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１９７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１９８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１９９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク、フラッシュメモリなどの少なくとも１つで構成されてもよい。ストレージ１００３は、補助記憶装置と呼ばれてもよい。
【０２００】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送受信アンテナ１０１（２０１）、アンプ部１０２（２０２）、送受信部１０３（２０３）、伝送路インターフェース１０６などは、通信装置１００４で実現されてもよい。
【０２０１】
入力装置１００５は、外部からの入力を受け付ける入力デバイス（例えば、キーボード、マウスなど）である。出力装置１００６は、外部への出力を実施する出力デバイス（例えば、ディスプレイ、スピーカーなど）である。なお、入力装置１００５及び出力装置１００６は、一体となった構成（例えば、タッチパネル）であってもよい。
【０２０２】
また、プロセッサ１００１やメモリ１００２などの各装置は、情報を通信するためのバス１００７で接続される。バス１００７は、単一のバスで構成されてもよいし、装置間で異なるバスで構成されてもよい。
【０２０３】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２０４】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ：Component  Carrier）は、セル、周波数キャリア、キャリア周波数などと呼ばれてもよい。
【０２０５】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭシンボル、ＳＣ−ＦＤＭＡシンボルなど）で構成されてもよい。
【０２０６】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームが送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０２０７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力など）を、ＴＴＩ単位で割り当てるスケジューリングを行う。なお、ＴＴＩの定義はこれに限られない。
【０２０８】
１ｍｓの時間長を有するＴＴＩを、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼んでもよい。通常ＴＴＩより短いＴＴＩは、短縮ＴＴＩ、ショートＴＴＩ、短縮サブフレーム、又はショートサブフレームなどと呼ばれてもよい。
【０２０９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０２１０】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２１１】
なお、上述した無線フレーム、サブフレーム、スロット及びシンボルなどの構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプリフィクス（ＣＰ：Cyclic  Prefix）長などの構成は、様々に変更することができる。
【０２１２】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。
【０２１３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１４】
また、ソフトウェア、命令、情報などは、伝送媒体を介して送受信されてもよい。例えば、ソフトウェアが、有線技術（同軸ケーブル、光ファイバケーブル、ツイストペア及びデジタル加入者回線（ＤＳＬ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２１５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」などの文言は、「サイド」と読み替えられてもよい。例えば、上りチャネルは、サイドチャネルと読み替えられてもよい。
【０２１６】
同様に、本明細書におけるユーザ端末は、無線基地局で読み替えてもよい。この場合、上述のユーザ端末２０が有する機能を無線基地局１０が有する構成としてもよい。
【０２１７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０２１８】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、報知情報（ＭＩＢ（Master  Information  Block）、ＳＩＢ（System  Information  Block）など）、ＭＡＣ（Medium  Access  Control）シグナリング）、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２１９】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２２０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２１】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２２２】
本出願は、２０１６年２月４日出願の特願２０１６−０２００１３に基づく。この内容は、全てここに含めておく。
【図１】
2017135340.tif 000003
【図２】
2017135340.tif 000004
【図３】
2017135340.tif 000005
【図４】
2017135340.tif 000006
【図５】
2017135340.tif 000007
【図６】
2017135340.tif 000008
【図７】
2017135340.tif 000009
【図８】
2017135340.tif 000010
【図９】
2017135340.tif 000011
【図１０】
2017135340.tif 000012
【図１１】
2017135340.tif 000013
【図１２】
2017135340.tif 000014
【図１３】
2017135340.tif 000015
【図１４】
2017135340.tif 000016
【図１５】
2017135340.tif 000017
【図１６】
2017135340.tif 000018
【図１７】
2017135340.tif 000019
【図１８】
2017135340.tif 000020
【図１９】
2017135340.tif 000021
【図２０】
2017135340.tif 000022
【国際調査報告】
2017135340.tif 000023
2017135340.tif 000024
2017135340.tif 000025
2017135340.tif 000026
2017135340.tif 000027
2017135340.tif 000028
2017135340.tif 000029
2017135340.tif 000030
2017135340.tif 000031